【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
アナログ信号を単ビットのデジタル信号に変換する２値化方法において、
アナログ信号である入力信号のピーク側包絡電圧Ｐを検出し、上記入力信号のボトム側包絡電圧Ｂを検出し、上記入力信号を基準電圧に基づいて２値信号に変換し、上記２値信号を積分して積分電圧Ｄを検出し、Ｓ＝（Ｐ＋Ｂ）／２−Ｄの演算を行う変換工程を、最初に、定められた値を上記基準電圧として行う工程と、
その後、前回の上記変換工程において上記演算の結果得られた値Ｓを上記基準電圧として、上記変換工程を複数回繰り返す工程とを含むことを特徴とする２値化方法。
【請求項２】
アナログ信号を多ビットのデジタル信号に変換するＡ／Ｄ変換方法において、
アナログ信号である入力信号Ａのピーク側包絡電圧Ｐを検出し、上記入力信号Ａのボトム側包絡電圧Ｂを検出し、被変換信号を定められた値の基準電圧に基づいてデジタル信号に変換し、上記デジタル信号を積分して積分電圧Ｄを検出し、Ｙ＝Ａ−（Ｐ＋Ｂ）／２＋Ｄの演算を行う変換工程を、最初に、上記入力信号Ａを上記被変換信号として行う工程と、
その後、前回の上記変換工程において上記演算の結果得られたＹを上記被変換信号として、上記変換工程を複数回繰り返す工程とを含むことを特徴とするＡ／Ｄ変換方法。
【請求項３】
アナログ信号を単ビットのデジタル信号に変換する２値化方法において、
アナログ信号である入力信号のピーク側包絡電圧Ｐを検出し、上記入力信号のボトム側包絡電圧Ｂとを検出し、上記入力信号を基準電圧に基づいて２値信号に変換し、上記２値信号を積分して積分電圧Ｄを検出し、Ｓ＝（０．５−Ｄ）Ｐ＋（０．５＋Ｄ）Ｂの演算を行う変換工程を、最初に、定められた値を上記基準電圧として行う工程と、
その後、前回の上記変換工程において上記演算の結果得られた値Ｓを上記基準電圧として、複数回繰り返す工程とを含むことを特徴とする２値化方法。
【請求項４】
アナログ信号を多ビットのデジタル信号に変換するＡ／Ｄ変換方法において、
アナログ信号である入力信号Ａのピーク側包絡電圧Ｐを検出し、上記入力信号Ａのボトム側包絡電圧Ｂとを検出し、入力信号Ａを被変換信号としてこれをデジタル信号に変換し、上記デジタル信号を積分して積分電圧Ｄを検出し、Ｙ＝Ａ−（０．５−Ｄ）Ｐ−（０．５＋Ｄ）Ｂの演算を行う変換工程を、最初に、上記入力信号Ａを上記被変換信号として行う工程と、
その後、前回の上記変換工程において上記演算の結果得られたＹを上記被変換信号として、複数回繰り返す工程とを含むことを特徴とするＡ／Ｄ変換方法。
【請求項５】
請求項１または３に記載の２値化方法において、
上記積分電圧Ｄの検出にあたり、変換された２値信号がＨのとき正の値とし、Ｌのとき負の値として、これらを時間的に累積加算した値の反転電圧を積分電圧Ｄとすることを特徴とする２値化方法。
【請求項６】
請求項１または３に記載の２値化方法において、
上記積分電圧Ｄの検出にあたり、変換された２値信号をＰＬＬ回路により同期化２値信号に変換し、上記２値信号との差分を時間的に累積加算した値の反転電圧を積分電圧Ｄとすることを特徴とする２値化方法。
【請求項７】
請求項２または４に記載のＡ／Ｄ変換方法において、
上記積分電圧Ｄの検出にあたり、変換されたデジタル信号の最上位ビットがＨのとき正の値とし、Ｌのとき負の値として、これらを時間的に累積加算した値の反転電圧を積分電圧Ｄとすることを特徴とするＡ／Ｄ変換方法。
【請求項８】
請求項１ないし４のいずれかに記載のＡ／Ｄ変換方法において、
上記ピーク側包絡電圧及び上記ボトム側包絡電圧の検出における信号応答速度を、上記積分電圧の検出における信号応答速度よりも高速に設定することを特徴とするＡ／Ｄ変換方法。
【請求項９】
アナログ信号を単ビットのデジタル信号に変換する２値化装置において、
アナログ信号である入力信号の、プラス側半波整流と平滑とを行うことによって、ピーク側包絡電圧を検出するピーク側包絡電圧検出回路と、
上記入力信号のマイナス側半波整流と平滑とを行うことによって、ボトム側包絡電圧を検出するボトム側包絡電圧検出回路と、
上記入力信号と基準電圧との大小関係を２値信号に変換するコンパレータと、
上記２値信号がＨのとき加算し、Ｌのとき減算した結果得られる値の反転電圧を積分電圧として出力する積分回路と、
上記ピーク側包絡電圧をＰ、上記ボトム側包絡電圧をＢ、上記積分電圧をＤとするとき、
Ｓ＝（Ｐ＋Ｂ）／２−Ｄ
となる演算値Ｓを上記基準電圧として出力する演算回路とを備えたことを特徴とする２値化装置。
【請求項１０】
アナログ信号を単ビットのデジタル信号に変換する２値化装置において、
アナログ信号である入力信号の、入力信号のプラス側半波整流と平滑を行うことによって、ピーク側包絡電圧を検出するピーク側包絡電圧検出回路と、
上記入力信号のマイナス側半波整流と平滑を行うことによって、ボトム側包絡電圧を検出するボトム側包絡電圧検出回路と、
上記入力信号と基準電圧との大小関係を２値信号に変換するコンパレータと、
上記２値信号を同期化２値信号に変換するＰＬＬ回路と、
上記２値信号と上記同期化２値信号の差分を積分した結果得られる値の反転電圧を積分電圧として出力する積分回路と、
上記ピーク側包絡電圧をＰ、上記ボトム側包絡電圧をＢ、上記積分電圧をＤとするとき、
Ｓ＝（Ｐ＋Ｂ）／２−Ｄ
となる演算値Ｓを上記基準電圧として出力する演算回路とを備えたことを特徴とする２値化装置。
【請求項１１】
アナログ信号を多ビットのデジタル信号に変換するＡ／Ｄ変換装置において、
アナログ信号である入力信号の、入力信号のプラス側半波整流と平滑を行うことによって、ピーク側包絡電圧を検出するピーク側包絡電圧検出回路と、
上記入力信号のマイナス側半波整流と平滑を行うことによって、ボトム側包絡電圧を検出するボトム側包絡電圧検出回路と、
被変換信号をデジタル信号に変換するＡ／Ｄ変換器と、
上記デジタル信号の最上位ビットがＨのとき加算しＬのとき減算した結果得られる値の反転電圧を積分電圧として出力する積分回路と、
上記入力信号をＡ、上記ピーク側包絡電圧をＰ、上記ボトム側包絡電圧をＢ、上記積分電圧をＤとするとき、
Ｙ＝Ａ−（Ｐ＋Ｂ）／２＋Ｄ
となる演算値Ｙを上記被変換信号として出力する演算回路とを備えたことを特徴とするＡ／Ｄ変換装置。
【請求項１２】
アナログ信号を単ビットのデジタル信号に変換する２値化装置において、
アナログ信号である入力信号の、プラス側半波整流と平滑とを行うことによって、ピーク側包絡電圧を検出するピーク側包絡電圧検出回路と、
上記入力信号のマイナス側半波整流と平滑とを行うことによって、ボトム側包絡電圧を検出するボトム側包絡電圧検出回路と、
上記入力信号と基準電圧との大小関係を２値信号に変換するコンパレータと、
上記２値信号がＨのとき加算しＬのとき減算した結果得られる値の反転電圧を積分電圧として出力する積分回路と、
上記ピーク側包絡電圧をＰ、上記ボトム側包絡電圧をＢ、上記積分電圧をＤとするとき、
Ｓ＝（Ｐ＋Ｂ）／４−Ｄ
となる演算値Ｓを上記基準電圧として出力する演算回路とを備えたことを特徴とする２値化装置。
【手続補正２】
【補正対象書類名】明細書
【補正対象項目名】００１１
【補正方法】変更
【補正の内容】
【００１１】
また、請求項５にかかる発明は、請求項１または３に記載の２値化方法において、上記積分電圧Ｄの検出にあたり、変換された２値信号がＨのとき正の値とし、Ｌのとき負の値として、これらを時間的に累積加算した値の反転電圧を積分電圧Ｄとするものであることを特徴とする２値化方法である。


【手続補正３】
【補正対象書類名】明細書
【補正対象項目名】００１２
【補正方法】変更
【補正の内容】
【００１２】
また、請求項６にかかる発明は、請求項１または３に記載の２値化方法において、上記積分電圧Ｄの検出にあたり、変換された２値信号をＰＬＬ回路により同期化２値信号に変換し、上記２値信号との差分を時間的に累積加算した値の反転電圧を積分電圧Ｄとするものであることを特徴とする２値化方法である。


【手続補正４】
【補正対象書類名】明細書
【補正対象項目名】００１３
【補正方法】変更
【補正の内容】
【００１３】
また、請求項７にかかる発明は、請求項２または４に記載のＡ／Ｄ変換方法において、上記積分電圧Ｄの検出にあたり、変換されたデジタル信号の最上位ビットがＨのとき正の値とし、Ｌのとき負の値として、これらを時間的に累積加算した値の反転電圧を積分電圧Ｄとするものであることを特徴とするＡ／Ｄ変換方法である。


【手続補正５】
【補正対象書類名】明細書
【補正対象項目名】００１５
【補正方法】変更
【補正の内容】
【００１５】
また、請求項９にかかる発明は、アナログ信号を単ビットのデジタル信号に変換する２値化装置において、アナログ信号である入力信号の、プラス側半波整流と平滑とを行うことによって、ピーク側包絡電圧を検出するピーク側包絡電圧検出回路と、上記入力信号のマイナス側半波整流と平滑とを行うことによって、ボトム側包絡電圧を検出するボトム側包絡電圧検出回路と、上記入力信号と基準電圧との大小関係を２値信号に変換するコンパレータと、上記２値信号がＨのとき加算し、Ｌのとき減算した結果得られる値の反転電圧を積分電圧として出力する積分回路と、上記ピーク側包絡電圧をＰ、上記ボトム側包絡電圧をＢ、上記積分電圧をＤとするとき、Ｓ＝（Ｐ＋Ｂ）／２−Ｄとなる演算値Ｓを上記基準電圧として出力する演算回路とを備えたことを特徴とする２値化装置である。


【手続補正６】
【補正対象書類名】明細書
【補正対象項目名】００１６
【補正方法】変更
【補正の内容】
【００１６】
また、請求項１０にかかる発明は、アナログ信号を単ビットのデジタル信号に変換する２値化装置において、アナログ信号である入力信号の、入力信号のプラス側半波整流と平滑を行うことによって、ピーク側包絡電圧を検出するピーク側包絡電圧検出回路と、上記入力信号のマイナス側半波整流と平滑を行うことによって、ボトム側包絡電圧を検出するボトム側包絡電圧検出回路と、上記入力信号と基準電圧との大小関係を２値信号に変換するコンパレータと、上記２値信号を同期化２値信号に変換するＰＬＬ回路と、上記２値信号と上記同期化２値信号の差分を積分した結果得られる値の反転電圧を積分電圧として出力する積分回路と、上記ピーク側包絡電圧をＰ、上記ボトム側包絡電圧をＢ、上記積分電圧をＤとするとき、Ｓ＝（Ｐ＋Ｂ）／２−Ｄとなる演算値Ｓを上記基準電圧として出力する演算回路とを備えたことを特徴とする２値化装置である。


【手続補正７】
【補正対象書類名】明細書
【補正対象項目名】００１７
【補正方法】変更
【補正の内容】
【００１７】
また、請求項１１にかかる発明は、アナログ信号を多ビットのデジタル信号に変換するＡ／Ｄ変換装置において、アナログ信号である入力信号の、入力信号のプラス側半波整流と平滑を行うことによって、ピーク側包絡電圧を検出するピーク側包絡電圧検出回路と、上記入力信号のマイナス側半波整流と平滑を行うことによって、ボトム側包絡電圧を検出するボトム側包絡電圧検出回路と、被変換信号をデジタル信号に変換するＡ／Ｄ変換器と、上記デジタル信号の最上位ビットがＨのとき加算し、Ｌのとき減算した結果得られる値の反転電圧を積分電圧として出力する積分回路と、上記入力信号をＡ、上記ピーク側包絡電圧をＰ、上記ボトム側包絡電圧をＢ、上記積分電圧をＤとするとき、Ｙ＝Ａ−（Ｐ＋Ｂ）／２＋Ｄとなる演算値Ｙを上記被変換信号として出力する演算回路とを備えたことを特徴とするＡ／Ｄ変換装置である。


【手続補正８】
【補正対象書類名】明細書
【補正対象項目名】００１８
【補正方法】変更
【補正の内容】
【００１８】
また、請求項１２にかかる発明は、アナログ信号を単ビットのデジタル信号に変換する２値化装置において、アナログ信号である入力信号の、プラス側半波整流と平滑とを行うことによって、ピーク側包絡電圧を検出するピーク側包絡電圧検出回路と、上記入力信号のマイナス側半波整流と平滑とを行うことによって、ボトム側包絡電圧を検出するボトム側包絡電圧検出回路と、上記入力信号と基準電圧との大小関係を２値信号に変換するコンパレータと、上記２値信号がＨのとき加算しＬのとき減算した結果得られる積分電圧を出力する積分回路と、上記ピーク側包絡電圧をＰ、上記ボトム側包絡電圧をＢ、上記積分電圧をＤとするとき、Ｓ＝（Ｐ＋Ｂ）／４−Ｄとなる演算値Ｓを上記基準電圧として出力する演算回路とを備えたことを特徴とする２値化装置である。


【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２４
【補正方法】変更
【補正の内容】
【００２４】
積分回路６ａは、図４に示すように、インバータ４０、バッファ４１、抵抗器４２ａ，４２ｂ，４２ｃ，４２ｄ、オペアンプ４３、抵抗器４５、コンデンサ４６、及びオペアンプ４７で構成される。積分回路６ａへの入力である２値信号５は、インバータ４０、バッファ４１で逆相の２つの信号に変換される。この２つの信号は、抵抗器４２ａ，４２ｂ，４２ｃ，４２ｄ、及びオペアンプ４３で構成される差分回路に入力され、信号４４が２値信号５がＨのとき正の値、Ｌのとき負の値として出力される。出力信号４４は、抵抗器４５、コンデンサ４６、及びオペアンプ４７で構成される時定数回路に入力され、時間的に累積加算されて極性が反転した積分電圧Ｄが出力される。


【手続補正１２】
【補正対象書類名】明細書
【補正対象項目名】００３４
【補正方法】変更
【補正の内容】
【００３４】
積分回路６ｂは、図７に示すように、ＰＬＬ回路７００、インバータ７０２，７０５、バッファ７０３，７０４、抵抗器７０６，７０７，７０８，７０９，７１０，７１１，７１４、オペアンプ７１２，７１６、及びコンデンサ７１５で構成される。積分回路６ｂに対する入力信号（２値信号）５は、ＰＬＬ回路７００に入力されて同期化処理がなされ、同期化２値信号７０１に変換される。２値信号５と同期化２値信号７０１とはそれぞれインバータ７０２，７０５及びバッファ７０３，７０４で逆相の２つの信号に変換される。そしてこれら４つの信号（２値信号、及び同期化２値信号、それぞれの逆相）は、抵抗器７０６〜７１１とオペアンプ７１２とから構成される差分回路に入力され、２値信号５と同期化２値信号７０１が共にＨまたは共にＬの場合、ゼロが、２値信号５がＨで、同期化２値信号７０１がＬの場合、正の値が、２値信号５がＬで、同期化２値信号７０１がＨの場合、負の値が、７１３に出力される。信号７１３は抵抗器７１４、コンデンサ７１５、及びオペアンプ７１６からなる時定数回路に入力され、ここにおいて時間的に累積加算された値の反転電圧が積分電圧Ｄとして出力される。


【手続補正１３】
【補正対象書類名】明細書
【補正対象項目名】００４５
【補正方法】変更
【補正の内容】
【００４５】
実施の形態５．
図１１(a) は、本発明の実施の形態５によるＡ／Ｄ変換装置の構成を示すブロック図である。図１１(a) において、１はアナログの入力信号、２は入力信号１のピーク側包絡電圧Ｐを検出するピーク側包絡電圧検出回路、３は入力信号１のボトム側包絡電圧Ｂを検出するボトム側包絡電圧検出回路、９は被変換信号Ｙを多ビットのデジタル信号１０に変換するＡ／Ｄ変換器、６はデジタル信号１０の最上位ビットがＨのとき加算しＬのとき減算した値の反転電圧を積分電圧Ｄとして出力する積分回路、８ａは入力信号Ａとピーク包絡電圧Ｐとボトム包絡電圧Ｂと積分電圧Ｄを演算して上記被変換信号Ｙとして出力する演算回路である。


【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】削除
【補正の内容】
【手続補正１６】
【補正対象書類名】明細書
【補正対象項目名】００６８
【補正方法】削除
【補正の内容】
【手続補正１７】
【補正対象書類名】図面
【補正対象項目名】図３
【補正方法】変更
【補正の内容】
【図３】
1998055621.tif 000001